【手続補正書】
【提出日】平成17年10月11日(2005.10.11)
【手続補正１】
【補正対象書類名】明細書
【補正対象項目名】特許請求の範囲
【補正方法】変更
【補正の内容】
【特許請求の範囲】
【請求項１】
ルータ経由で外部ネットワークに接続されているホーム・ネットワーク上の機器を認証する機器間認証システムであって、
前記外部ネットワークと前記ホーム・ネットワーク間の経路を接続・遮断する経路遮断手段と、
前記ホーム・ネットワーク上の機器間で通信を行なうことを保証するタイミングにおいて、前記ホーム・ネットワーク上の機器が発する要求に基づいて前記経路遮断手段を作動させて前記ホーム・ネットワークを前記外部ネットワークから隔離するローカル環境管理手段と、
を具備することを特徴とする機器間認証システム。
【請求項２】
一方の機器は前記ルータ経由で前記外部ネットワークからコンテンツを正当に取得するホーム・サーバであり、他方の機器は前記ホーム・サーバに対してコンテンツを要求し利用するクライアントであり、
前記ローカル環境管理手段により前記ホーム・ネットワークを前記外部ネットワークから隔離した状態で、前記ホーム・サーバは前記クライアントに対しコンテンツの提供及び／又はコンテンツに関するライセンスの発行を行なう、
ことを特徴とする請求項１に記載の機器間認証システム。
【請求項３】
前記ホーム・ネットワーク上には２台以上のホーム・サーバを設置可能であり、
前記ローカル環境管理手段は、ホーム・サーバ毎にクライアントに対しコンテンツの提供及び／又はコンテンツに関するライセンスの発行を行なう際に、前記外部ネットワークと前記ホーム・ネットワーク間の経路を一時的に遮断する、
ことを特徴とする請求項１に記載の機器間認証システム。
【請求項４】
クライアントは、同じホーム・ネットワーク上の２台以上のホーム・サーバからコンテンツの提供及び／又はコンテンツに関するライセンスの発行を受けることができる、
ことを特徴とする請求項３に記載の機器間認証システム。
【請求項５】
クライアントは、同じホーム・ネットワーク上の複数のホーム・サーバから取得したコンテンツを利用可能であるが、別のホーム・ネットワーク上のホーム・サーバに接続した時点で、その以外のホーム・ネットワーク上のホーム・サーバから取得したコンテンツを利用不能となる、
ことを特徴とする請求項３に記載の機器間認証システム。
【請求項６】
前記ローカル環境管理手段は、前記ホーム・ネットワーク上でのローカル通信が完了後、又はローカル通信を開始してから所定時間経過後に、前記ホーム・ネットワークと前記外部ネットワーク間の経路を再開させる、
ことを特徴とする請求項１に記載の機器間認証システム。
【請求項７】
ルータ経由で外部ネットワークに接続されているホーム・ネットワーク上の機器を認証する機器間認証方法であって、
前記ホーム・ネットワーク上の機器間で通信を行なうことを保証するタイミングにおいて、前記ホーム・ネットワーク上の機器が発する要求に基づいて前記外部ネットワークと前記ホーム・ネットワーク間の経路を一時的に遮断して前記ホーム・ネットワークを前記外部ネットワークから隔離する、
ことを特徴とする機器間認証方法。
【請求項８】
一方の機器は前記ルータ経由で外部ネットワークからコンテンツを正当に取得するホーム・サーバであり、他方の機器はホーム・サーバに対してコンテンツを要求し利用するクライアントであり、
前記ホーム・ネットワークを前記外部ネットワークから隔離した状態で、前記ホーム・サーバは前記クライアントに対しコンテンツの提供及び／又はコンテンツに関するライセンスの発行を行なう、
ことを特徴とする請求項７に記載の機器間認証方法。
【請求項９】
前記ホーム・ネットワーク上には２台以上のホーム・サーバを設置可能であり、
ホーム・サーバ毎に、クライアントに対しコンテンツの提供及び／又はコンテンツに関するライセンスの発行を行なう際に、前記外部ネットワークと前記ホーム・ネットワーク間の経路を一時的に遮断する、
ことを特徴とする請求項７に記載の機器間認証方法。
【請求項１０】
クライアントは、同じホーム・ネットワーク上の２台以上のホーム・サーバからコンテンツの提供及び／又はコンテンツに関するライセンスの発行を受けることができる、
ことを特徴とする請求項９に記載の機器間認証方法。
【請求項１１】
クライアントは、同じホーム・ネットワーク上の複数のホーム・サーバから取得したコンテンツを利用可能であるが、別のホーム・ネットワーク上のホーム・サーバに接続した時点で、その以外のホーム・ネットワーク上のホーム・サーバから取得したコンテンツを利用不能となる、
ことを特徴とする請求項９に記載の機器間認証方法。
【請求項１２】
前記ホーム・ネットワーク上でのローカル通信が完了後、又はローカル通信を開始してから所定時間経過後に、前記ホーム・ネットワークと前記外部ネットワーク間の経路を再開させる、
ことを特徴とする請求項７に記載の機器間認証方法。
【請求項１３】
ルータ経由で外部ネットワークに接続されているホーム・ネットワーク上で動作する通信機器であって、
前記ホーム・ネットワーク上の機器間で通信を行なうことを保証するタイミングにおいて、前記ホーム・ネットワークを前記外部ネットワークから遮断することを要求するローカル環境管理手段を備える、
ことを特徴とする通信機器。
【請求項１４】
ホーム・ネットワーク上でコンテンツを提供するホーム・サーバとして動作し、
前記ローカル環境管理手段は、クライアントに対しコンテンツの提供及び／又はコンテンツに関するライセンスの発行を行なう際に、前記ホーム・ネットワークを前記外部ネットワークから遮断することを要求する、
ことを特徴とする請求項１３に記載の通信機器。
【請求項１５】
前記ローカル環境管理手段は、クライアントとのローカル通信の終了後、前記ホーム・ネットワークと前記外部ネットワークとの接続を再開することを要求する、
ことを特徴とする請求項１４に記載の通信機器。
【請求項１６】
ホーム・ネットワークと外部ネットワークを相互接続する通信機器であって、
前記外部ネットワークと前記ホーム・ネットワーク間の経路を接続・遮断する経路遮断手段と、
前記ホーム・ネットワーク上の機器間で通信を行なうことを保証するタイミングにおいて、前記ホーム・ネットワーク上の機器が発する要求に基づいて前記経路遮断手段を作動させて前記経路遮断手段を作動させて前記ホーム・ネットワークを前記外部ネットワークから隔離する制御手段と、
を具備することを特徴とする通信機器。
【請求項１７】
前記制御手段は、前記ホーム・ネットワーク上でコンテンツを提供するホーム・サーバからの遮断要求に応じて前記ホーム・ネットワークを前記外部ネットワークから隔離する、
ことを特徴とする請求項１６に記載の通信機器。
【請求項１８】
前記制御手段は、前記ホーム・ネットワーク上でコンテンツを提供するホーム・サーバからの再開要求に応じて、遮断中の前記ホーム・ネットワークと前記外部ネットワークの接続を再開する、
ことを特徴とする請求項１６に記載の通信機器。
【請求項１９】
前記制御手段は、前記ホーム・ネットワーク上でコンテンツを提供するホーム・サーバからの遮断要求に応じて前記ホーム・ネットワークを前記外部ネットワークから隔離した後、所定のタイミングで前記ホーム・ネットワークと前記外部ネットワークの接続を再開する、
ことを特徴とする請求項１６に記載の通信機器。
【請求項２０】
前記ホーム・ネットワークと前記外部ネットワークを遮断中に、前記外部ネットワークと通信する手段と、
前記ホーム・ネットワークと前記外部ネットワークを遮断中に、前記外部ネットワーク上の所定のサーバにアクセスして、前記ホーム・ネットワークと前記外部ネットワークとの経路が遮断していることを確認する手段と、
をさらに備えることを特徴とする請求項１６に記載の通信機器。
【請求項２１】
ルータ経由で外部ネットワークに接続されているホーム・ネットワーク上の機器を認証するための処理をコンピュータ・システム上で実行するようにコンピュータ可読形式で記述されたコンピュータ・プログラムであって、前記コンピュータ・システムに対し、
前記ホーム・ネットワーク上の機器間で通信を行なうことを保証するタイミングを取得する手順と、
該タイミングにおいて、前記ホーム・ネットワーク上の機器が発する要求に基づいて前記外部ネットワークと前記ホーム・ネットワーク間の経路を一時的に遮断して前記ホーム・ネットワークを前記外部ネットワークから隔離せしめる手順と、
を実行させることを特徴とするコンピュータ・プログラム。
【手続補正２】
【補正対象書類名】明細書
【補正対象項目名】０００６
【補正方法】変更
【補正の内容】
【０００６】
著作権法の下、著作物としてのコンテンツは無断の複製や改竄などの不正使用から保護を受ける。一方、著作物の正当な利用者においては、私的な使用、すなわち個人的に又は家庭内その他これに準ずる限られた範囲内において使用することを目的としてコンテンツを複製することが許されている（著作権法第３０条を参照のこと）。
【手続補正３】
【補正対象書類名】明細書
【補正対象項目名】００１３
【補正方法】変更
【補正の内容】
【００１３】
ホーム・ネットワークを構成するプロトコルとして、例えばＵＰｎＰ（登録商標）が知られている。ＵＰｎＰによれば、複雑な操作を伴うことなく容易にネットワークを構築することが可能であり、ネットワーク接続された機器間では困難な操作や設定を伴うことなくコンテンツ提供サービスを行なうことが可能となる。また、ＵＰｎＰは、オペレーティング・システム（ＯＳ）に非依存であり、容易に機器の追加ができるという利点を持つ。
【補正の内容】
【手続補正４】
【補正対象書類名】明細書
【補正対象項目名】００２９
【補正方法】変更
【補正の内容】
【００２９】
著作権法の下、著作物としてのコンテンツは無断の複製や改竄などの不正使用から保護を受ける。一方、著作物の正当な利用者においては、私的な使用、すなわち個人的に又は家庭内その他これに準ずる限られた範囲内において使用することを目的としてコンテンツを複製することが許されている。
【手続補正５】
【補正対象書類名】明細書
【補正対象項目名】００３３
【補正方法】変更
【補正の内容】
【００３３】
したがって、クライアントは、同じホーム・ネットワーク上の複数のホーム・サーバから取得したコンテンツを利用可能であるが、別のホーム・ネットワーク上のホーム・サーバに接続した時点で、それ以外のホーム・ネットワーク上のホーム・サーバから取得したコンテンツを利用不能となるようにする。